(57)【要約】【課題】使用時に収納袋中で内容物の偏りを生じにくく、しかも発熱の立ち上がり速度が速やかな使い捨てカイロの提供。【課題の解決手段】片面が針孔を開けて通気性を付与した不織布素材で、他面が少なくともその一部に粘着剤層を貼設したプラスチックフィルムシートである収納袋に、鉄粉、活性炭、塩類、吸水性樹脂及び水を含む発熱組成物を封入した使い捨てカイロにおいて、前記収納袋が複数個の縦列する分包から構成され、１個の分包のシール部を除く片面面積が３０〜５０ｃｍ2で、発熱組成物の封入量が１３〜２３ｇであり、かつ隣接する分包同士が切り離し自在の連結部で連結されてなる使い捨てカイロ。【選択図】図１
2005074002.tif 000002
【特許請求の範囲】
【請求項１】
片面が針孔を開けて通気性を付与した不織布素材で、他面が少なくともその一部に粘着剤層を貼設したプラスチックフィルムシートである収納袋に、鉄粉、活性炭、塩類、吸水性樹脂及び水を含む発熱組成物を封入した使い捨てカイロにおいて、前記収納袋が複数個の縦列する分包から構成され、１個の分包のシール部を除く片面面積が３０〜５０ｃｍ2で、発熱組成物の封入量が１３〜２３ｇであり、かつ隣接する分包同士が切り離し自在の連結部で連結されてなることを特徴とする使い捨てカイロ。
【請求項２】
収納袋が２個の分包から構成されていることを特徴とする請求項１に記載の使い捨てカイロ。
【請求項３】
針孔が３〜５ｃｍの幅で帯状に形成され、しかもガーレ通気度測定器による通気度の値が２〜１０秒／３００ｃｃであることを特徴とする請求項１又は２に記載の使い捨てカイロ。
【発明の詳細な説明】
【技術分野】
【０００１】
本発明は、使い捨てカイロの改良に関するものである。
【背景技術】
【０００２】
鉄粉、活性炭、塩類、吸水性樹脂及び水を含む発熱組成物は、点火を必要とせず空気と接触するだけで簡便に発熱して使用性に優れるため、上記発熱組成物を通気性を有する収納袋に封入した使い捨てカイロが広く普及している。収納袋に通気性を付与する方法としては、多孔質フィルムを使用するか、又は不織布にポリエチレン等のシーラントを重層したものに針孔を開ける方法があるが、現在、使い捨てカイロのほとんどは、前者の多孔質フィルムタイプを使用している。これは、多孔質フィルムを用いる前者の収納袋では、使用中袋内が減圧状態に保たれ、後者の針孔タイプに比べて内容物の偏りを生じにくいというメリットを有することによる。そして、この多孔質フィルムタイプの使い捨てカイロを改良し、ひじ、膝などの屈曲する部位により柔軟にフィットさせたり、大きさを自由に変更できるようにするため、特開平７−２１３５４９号公報や、登録実用新案第３００１１７０号公報には、切り離し自在に構成した分包形態の使い捨てカイロが提案されている。
【０００３】
ところで、使い捨てカイロの発熱性能としては、主に発熱の立ち上がり速度、最高温度及び発熱の持続時間の３項目につき、検査されるが、このうち、発熱の立ち上がり速度は、ＪＩＳ  Ｓ４１００に「使用開始から４０℃に達するまでの時間」と規定されている。現在主流の多孔質フィルムタイプの使い捨てカイロでは、発熱の立ち上がり速度は一般に１２分〜２０分の範囲にあり、速やかな発熱を求める消費者にとって満足のいくものではなく、また、袋内の内容物が、減圧で使用終期頃板状になりやすいという問題点を有している。これらの課題は、前記文献に示す如く分包形態に改良したとしても、収納袋の材質として多孔質フィルムを使用する限り何ら解決されていない。
【特許文献１】特開平７−２１３５４９号公報
【特許文献２】登録実用新案第３００１１７０号公報
【発明の開示】
【発明が解決しようとする課題】
【０００４】
本発明は、使用時に収納袋中で内容物の偏りを生じにくく、しかも発熱の立ち上がり速度が速やかな使い捨てカイロを提供することを目的とする。
【課題を解決するための手段】
【０００５】
本発明者らは、針孔タイプの収納袋を使用するとともに、切り離し自在の分包形態の使い捨てカイロを供することによって、上記課題を解決しえることを知見し本発明を完成した。
【０００６】
すなわち、本発明は、次のような構成を採用する。
（１）片面が針孔を開けて通気性を付与した不織布素材で、他面が少なくともその一部に粘着剤層を貼設したプラスチックフィルムシートである収納袋に、鉄粉、活性炭、塩類、吸水性樹脂及び水を含む発熱組成物を封入した使い捨てカイロにおいて、前記収納袋が複数個の縦列する分包から構成され、１個の分包のシール部を除く片面面積が３０〜５０ｃｍ2で、発熱組成物の封入量が１３〜２３ｇであり、かつ隣接する分包同士が切り離し自在の連結部で連結されてなる使い捨てカイロ。
（２）収納袋が２個の分包から構成されている（１）に記載の使い捨てカイロ。
（３）針孔が３〜５ｃｍの幅で帯状に形成され、しかもガーレ通気度測定器による通気度の値が２〜１０秒／３００ｃｃである（１）又は（２）に記載の使い捨てカイロ。
【発明の効果】
【０００７】
本発明の使い捨てカイロは、使用時に収納袋中で内容物の偏りを生じにくく、しかも発熱の立ち上がり速度は多孔質フィルムタイプに比べて速やかである。また、安価で使用感にもすぐれるので極めて実用的である。
【発明を実施するための最良の形態】
【０００８】
本発明で用いられる発熱組成物の成分、組成は何ら限定されず、従来知られているもののいずれも使用できる。発熱組成物を構成する鉄粉は、酸化発熱反応に関与する主成分で、還元鉄、鋳鉄等であり、粉状のものが一般的であるが、粒状、繊維状等のものを混在させてもよい。また、活性炭、塩類は鉄粉の酸化反応促進剤として必要で、塩類としては、塩化ナトリウム、塩化カリウム、塩化マグネシウム等をあげることができる。
【０００９】
吸水性樹脂としては、保水能が高く、全体をさらさらの状態に保ち得るものが製造上好ましい。例えば、イソブチレン−無水マレイン酸共重合体、ポリビニルアルコール−アクリル酸共重合体、デンプン−アクリル酸塩グラフト共重合体、ポリアクリル酸塩架橋物、アクリル酸塩−アクリル酸エステル共重合体、アクリル酸塩−アクリルアミド共重合体、ポリアクリルニトリル架橋物の加水分解物等があげられるが、これらに限定されるものではない。もちろん、保水剤として木粉、パーライト、バーミキュライトのような基材を併用してもよい。
【００１０】
本発明で用いる発熱組成物には、前記各成分のほか、アルキル金属の弱酸塩、アルカリ土類金属の弱酸塩、メタケイ酸塩等の水素発生抑制剤、増量剤、α−デンプン等の内容物偏り防止剤、あるいはジルコニウム、セラミックス等の物質を適宜添加してもよい。そして、発熱性能に関与する発熱組成物の各成分の配合比率や充填量等は、使い捨てカイロの使用目的、適用用途に応じて任意に決定し得るものである。
【００１１】
本発明は、発熱組成物封入用収納袋として、片面が針孔を開けて通気性を付与した不織布素材で、他面が少なくともその一部に粘着剤層を貼設したプラスチックフィルムシートからなる収納袋を採用し、かつこの収納袋を複数個の分包から構成したことに特徴を有する。不織布素材とは、不織布にシーラントとしてポリエチレン、ポリプロピレン、ＥＶＡ等のフィルムを重層した袋素材で、多孔質フィルムタイプと比べると安価であり、例えばナイロンスパンボンド等を例示できる。
不織布素材には、通常１〜数十μの針孔が穿設されるが、発熱の立ち上がり速度をより速めるために、収納袋全面均一に針孔を設けるのではなく、例えば３〜５ｃｍの幅で帯状に集中的に針孔を形成するのが好ましい。そして、ガーレ通気度測定器による通気度の値が２〜１０秒／３００ｃｃになるように、針孔の孔径や配列決定すればよい。このように、通気性部位を集中させて発熱の立ち上がり速度を調整する手段は、多孔質フィルムタイプの収納袋には採用できない。もっとも、多孔質フィルム全体の通気性を高めて発熱の立ち上がり速度を速めることはできるが、最高温度が高くなり過ぎ火傷の危険性を伴う。
【００１２】
収納袋の他面は、非通気性のプラスチックフィルムシート、例えばポリエチレンシートであり、その少なくとも一部には、ゴムなどを主材とする粘着剤層が貼設されている。粘着剤層は、水玉模様や縞模様など適宜の模様を呈してもよく、通常その上面には、使用前の粘着剤層を保護するための剥離紙が被覆される。使用に際しては、剥離紙を剥がし身体や着衣等に接着させて供すればよい。
【００１３】
本発明では、収納袋は複数個、好ましくは２個の縦列する分包から構成される。１個の分包のシール部を除く片面面積が３０〜５０ｃｍ2で、発熱組成物の封入量が１３〜２３ｇ程度のものが発熱性能、製造上や使用性の点で好ましく、隣接する分包同士が切り離し自在の連結部で連結されている。かかる分包形態に構成することによって、内容物の偏りが抑制され、ひじ、膝などの屈曲する部位により柔軟にフィットさせ得るとともに、連結部を適宜切り離して、所望の大きさ、形状に変化させて使用することができる。収納袋全体の大きさは、分包の個数によって、縦１０〜１８cm、横８〜１０cmの範囲で適宜決定することができ、通常、外周囲とともに連列部位置にヒートシールを施して分包を形成させる。連結部の幅は、加工の容易さ、屈曲の容易さ等を考慮して５〜２０ｍｍ程度が適当であり、また、容易に分離できるように連結部の中央線に沿ってミシン目を形成させるのがよい。
【００１４】
こうして得られた本発明の使い捨てカイロは、通常、非通気性の外袋に更に収納され、使用時に該外袋を破袋して使用されるが、内容物の偏りを生じにくく、しかも発熱の立ち上がり速度は主流の多孔質フィルムタイプに比べて速やかである。また、安価で使用感にもすぐれるので極めて実用的である。
【００１５】
次に、具体的実施例ならびに試験例に基づいて、本発明の使い捨てカイロを更に詳細に説明するが、本発明はもちろんこれらに限定されるものではない。
【実施例１】
【００１６】
図１は、本発明の使い捨てカイロで用いる収納袋１の平面図、図２は断面図を示す。
収納袋１は、縦１２ｃｍ、横９ｃｍで、上面がナイロン不織布−ポリエチレン素材に針孔２を施したスパンボンド３、下面が非通気性のポリエチレンシート４であり、ポリエチレンシート４に貼設された粘着剤層５は、剥離紙６に被覆されている。そして、収納袋１は、図１に示すように、内容物収納部７、７’（５×８ｃｍ；４０ｃｍ2）の周囲がヒートシールされて２個の分包形態を形成し、中央横方向に幅１０ｍｍの帯状連結部８とその中央線に沿ってミシン目９を有している。また、スパンボンド３には、針孔２が縦方向に幅４０ｃｍの帯状に穿たれ、ガーレ通気度測定器による通気度の値は３．２秒／３００ｃｃであった。
収納袋１の内容物収納部７、７ ’に、発熱組成物（１０）１８ｇ［鉄粉９．８ｇ、活性炭０．８ｇ、塩化ナトリウム０．４ｇ、メタケイ酸ナトリウム０．２ｇ、木粉０．５ｇ、吸水性樹脂（イソブチレン−無水マレイン酸共重合体系）０．５ｇ及び水５．８ｇからなる混合物］をそれぞれ封入、ヒートシール後、非通気性の外袋に収納して本発明の使い捨てカイロを作製した。
本発明の使い捨てカイロを外袋から取り出した後２個に切り離し、それぞれを下着に接着させて使用した。４０℃以上に発熱するまでの時間は９分で、主流の多孔質フィルムタイプに比べて速やかであった。また、使用中、内容物が偏ることがなく使用感も満足のいくものであった。なお、別途、２個を切り離さずに肩に置いて使用したが、連結部で屈曲するため局部にフィットし使いやすかった。
【実施例２】
【００１７】
実施例１に準じて表１に示す各種使い捨てカイロを作製し、下記の発熱性試験を実施するとともに、使用感を調べた。なお、内容物収納部の片面面積は、２分包形態については４０ｃｍ2（５×８ｃｍ）、３分包形態は３２ｃｍ2（４×８ｃｍ）、一方通常タイプについては９２ｃｍ2（１１．５×８ｃｍ）とした。表１にその結果も併せて示す。
（１）発熱の立ち上がり温度：ＪＩＳ  Ｓ４１００に基づき、使用開始から４０℃に達するまでの時間を測定し、次の基準で評価した。
○；４分以上１０分未満、△；１０分以上２０分未満、×；２０分以上
（２）最高温度：測定値の最高温度について次の基準で評価した。
○；７０℃以下、×；７０℃を超える温度（ＪＩＳ規格のカイロとしては不適当な温度）
（３）発熱の持続時間：ＪＩＳ  Ｓ４１００に基づき、４０℃を保持する時間を測定し、次の基準で評価した。
○；１０時間以上、×；１０時間未満
【００１８】
【表１】
2005074002.tif 000003
【００１９】
試験の結果、本発明の使い捨てカイロは、発熱の立ち上がり時間が速く、最高温度や発熱の持続性の点でも満足し得る性能を示した。また、使用時に内容物の偏りが見られず使用感にすぐれ、実用性の高いものであった。
これに対し、比較例１のように、収納袋が針孔タイプであっても分包形態にしない場合は内容物の偏りの問題は解決されなかった。また、汎用されている多孔質フィルムタイプの使い捨てカイロは、通常形態（比較例２）及び２分包形態（比較例３）のいずれにおいても、発熱の立ち上がりが不満足で、また使用終期に減圧のため板状になる傾向があり使用感を損ねる場合があった。更に、比較例４のように、発熱組成物の封入量が分包１個あたり１３ｇに満たないと、特に発熱の持続性の点で問題があった。
【産業上の利用可能性】
【００２０】
本発明の使い捨てカイロは、発熱が速やかで、屈曲部位にフィットしやすいため、医療、美容用途や食品の加温用途などにも利用できる可能性がある。
【図面の簡単な説明】
【００２１】
【図１】本発明の使い捨てカイロで用いる収納袋１の平面図を示す。
【図２】その断面図を示す。
【符号の説明】
【００２２】
１：収納袋
２：針孔
３：スパンボンド
４：ポリエチレンシート
５：粘着剤層
６：剥離紙
７,７’：内容物収納部
８：連結部
９：ミシン目
１０：発熱組成物
【図１】
2005074002.tif 000004
【図２】
2005074002.tif 000005